(57)【要約】  一の実施形態に係る無線端末は、他の無線端末とネットワークとの間で中継を行うよう構成される。前記無線端末は、前記無線端末が前記他の無線端末の中継端末であることを示す第１情報を前記ネットワークへ通知するよう構成されるトランスミッタと、前記無線端末を経由する前記他の無線端末と前記ネットワークとの間の接続を介して、前記他の無線端末宛てのデータを前記他の無線端末へ転送するよう構成されるコントローラと、前記接続の少なくとも一部が解放されている場合に、前記他の無線端末宛てのデータが存在することを示すメッセージを前記ネットワークから受信するよう構成されるレシーバと、を備える。前記コントローラは、前記メッセージの受信に応じて、前記他の無線端末宛てのデータを転送するために、前記接続を確立するための制御を開始するよう構成される。
2018061760.tif 000002
【特許請求の範囲】
【請求項１】
他の無線端末とネットワークとの間で中継を行うよう構成される無線端末であって、
前記無線端末が前記他の無線端末の中継端末であることを示す第１情報を前記ネットワークへ通知するよう構成されるトランスミッタと、
前記無線端末を経由する前記他の無線端末と前記ネットワークとの間の接続を介して、前記他の無線端末宛てのデータを前記他の無線端末へ転送するよう構成されるコントローラと、
前記接続の少なくとも一部が解放されている場合に、前記他の無線端末宛てのデータが存在することを示すメッセージを前記ネットワークから受信するよう構成されるレシーバと、を備え、
前記コントローラは、前記メッセージの受信に応じて、前記他の無線端末宛てのデータを転送するために、前記接続を確立するための制御を開始するよう構成される無線端末。
【請求項２】
前記コントローラは、前記無線端末と前記他の無線端末との間の接続を確立することによって、前記接続を確立するよう構成される請求項１に記載の無線端末。
【請求項３】
前記コントローラは、前記無線端末と前記ネットワークとの間の接続を確立することによって、前記接続を確立するよう構成される請求項１に記載の無線端末。
【請求項４】
前記レシーバは、前記無線端末と前記ネットワークとの間の接続が解放されている場合に、前記メッセージとして、ページングメッセージを受信するよう構成される請求項１に記載の無線端末。
【請求項５】
前記トランスミッタは、前記無線端末が前記他の無線端末の中継端末であることを前記ネットワークから削除するための第２情報を前記ネットワークへ通知するよう構成される請求項１に記載の無線端末。
【請求項６】
前記トランスミッタは、前記他の無線端末への中継が不要になったことに応じて、前記第２情報を前記ネットワークへ通知するよう構成される請求項５に記載の無線端末。
【請求項７】
前記トランスミッタは、前記他の無線端末との通信が不能になったことに応じて、前記第２情報を前記ネットワークへ通知するよう構成される請求項５に記載の無線端末。
【請求項８】
前記コントローラは、前記無線端末の位置が変更されたことに応じて、前記他の無線端末の代わりに、前記ネットワークに登録される前記他の無線端末の位置を更新するよう構成される請求項１に記載の無線端末。
【請求項９】
前記トランスミッタは、前記無線端末の位置が変更されたことに応じて、前記ネットワークに登録される前記他の無線端末の位置を更新させるための通知を前記他の無線端末へ送信するよう構成される請求項１に記載の無線端末。
【請求項１０】
前記コントローラは、前記ネットワークに登録される前記無線端末の位置が更新されたことに応じて、前記無線端末の位置が変更されたと判定するよう構成される請求項８又は９に記載の無線端末。
【請求項１１】
前記コントローラは、選択セルが変更されたことに応じて、前記無線端末の位置が変更されたと判定するよう構成される請求項８又は９に記載の無線端末。
【請求項１２】
ネットワーク装置であって、
コントローラを備え、
前記コントローラは、
第１の無線端末が第２の無線端末の中継端末であることを示す第１情報を受け取り、
前記第１の無線端末を経由する前記第２の無線端末と前記ネットワーク装置との間の接続を介して、前記第２の無線端末宛てのデータを前記第２の無線端末へ送り、
前記接続の少なくとも一部が解放されている場合に、前記第１情報に基づいて、前記第２の無線端末宛てのデータが存在することを示すメッセージを前記第１の無線端末へ通知する、よう構成されるネットワーク装置。
【発明の詳細な説明】
【技術分野】
【０００１】
本開示は、無線端末及びネットワーク装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、近傍サービス（ＰｒｏＳｅ：Ｐｒｏｘｉｍｉｔｙ−ｂａｓｅｄ  Ｓｅｒｖｉｃｅｓ）の仕様策定が進められている（非特許文献１参照）。【０００３】
ＰｒｏＳｅでは、特定の無線端末（ＰｒｏＳｅ  ＵＥ−ｔｏ−Ｎｅｔｗｏｒｋ  Ｒｅｌａｙ）は、他の無線端末（Ｒｅｍｏｔｅ  ＵＥ）とネットワークとの間でトラフィックを中継することが可能である。
【先行技術文献】
【非特許文献】
【０００４】
【非特許文献１】３ＧＰＰ技術仕様書「ＴＳ３６．３００  Ｖ１３．４．０」  ２０１６年７月７日
【発明の概要】
【０００５】
一の実施形態に係る無線端末は、他の無線端末とネットワークとの間で中継を行うよう構成される。前記無線端末は、前記無線端末が前記他の無線端末の中継端末であることを示す第１情報を前記ネットワークへ通知するよう構成されるトランスミッタと、前記無線端末を経由する前記他の無線端末と前記ネットワークとの間の接続を介して、前記他の無線端末宛てのデータを前記他の無線端末へ転送するよう構成されるコントローラと、前記接続の少なくとも一部が解放されている場合に、前記他の無線端末宛てのデータが存在することを示すメッセージを前記ネットワークから受信するよう構成されるレシーバと、を備える。前記コントローラは、前記メッセージの受信に応じて、前記他の無線端末宛てのデータを転送するために、前記接続を確立するための制御を開始するよう構成される。
【０００６】
ネットワーク装置は、コントローラを備える。前記コントローラは、第１の無線端末が第２の無線端末の中継端末であることを示す第１情報を受け取り、前記第１の無線端末を経由する前記第２の無線端末と前記ネットワーク装置との間の接続を介して、前記第２の無線端末宛てのデータを前記第２の無線端末へ送り、前記接続の少なくとも一部が解放されている場合に、前記第１情報に基づいて、前記第２の無線端末宛てのデータが存在することを示すメッセージを前記第１の無線端末へ通知する、よう構成される。
【図面の簡単な説明】
【０００７】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、近傍サービスを利用した中継を説明するための図である。
【図５】図５は、ＵＥ１００のブロック図である。
【図６】図６は、ｅＮＢ２００のブロック図である。
【図７】図７は、ＭＭＥ３００のブロック図である。
【図８】図８は、動作環境を説明するための図である。
【図９】図９は、動作例１を説明するためのシーケンス図である。
【図１０】図１０は、動作例２を説明するためのシーケンス図である。
【図１１】図１１は、動作例３を説明するためのシーケンス図である。
【図１２】図１２は、ＵＥ１００（リレーＵＥ）の動作を説明するためのフローチャートである。
【図１３】図１３は、ｗＵＥ１５０（リモートＵＥ）の動作を説明するためのフローチャートである。
【発明を実施するための形態】
【０００８】
［実施形態の概要］
無線端末が、ユーザが着用可能な無線端末であるウェアラブル端末（Ｗｅａｒａｂｌｅ  ＵＥ）のデータを近傍サービスにより中継することが議論されている。中継端末を経由したウェアラブル端末とネットワークとの間に接続が確立された後、当該接続を介して、ウェアラブル端末のデータが伝送されることが想定される。
【０００９】
しかしながら、例えば、中継端末がＲＲＣアイドル状態へ移行することにより、接続の一部が切断された場合には、ウェアラブル端末のデータを伝送できないという問題がある。
【００１０】
一の実施形態に係る無線端末は、他の無線端末とネットワークとの間で中継を行うよう構成される。前記無線端末は、前記無線端末が前記他の無線端末の中継端末であることを示す第１情報を前記ネットワークへ通知するよう構成されるトランスミッタと、前記無線端末を経由する前記他の無線端末と前記ネットワークとの間の接続を介して、前記他の無線端末宛てのデータを前記他の無線端末へ転送するよう構成されるコントローラと、前記接続の少なくとも一部が解放されている場合に、前記他の無線端末宛てのデータが存在することを示すメッセージを前記ネットワークから受信するよう構成されるレシーバと、を備える。前記コントローラは、前記メッセージの受信に応じて、前記他の無線端末宛てのデータを転送するために、前記接続を確立するための制御を開始するよう構成される。
【００１１】
前記コントローラは、前記無線端末と前記他の無線端末との間の接続を確立することによって、前記接続を確立するよう構成されてもよい。
【００１２】
前記コントローラは、前記無線端末と前記ネットワークとの間の接続を確立することによって、前記接続を確立するよう構成されてもよい。
【００１３】
前記レシーバは、前記無線端末と前記ネットワークとの間の接続が解放されている場合に、前記メッセージとして、ページングメッセージを受信するよう構成されてもよい。
【００１４】
前記トランスミッタは、前記無線端末が前記他の無線端末の中継端末であることを前記ネットワークから削除するための第２情報を前記ネットワークへ通知するよう構成されてもよい。
【００１５】
前記トランスミッタは、前記他の無線端末への中継が不要になったことに応じて、前記第２情報を前記ネットワークへ通知するよう構成されてもよい。
【００１６】
前記トランスミッタは、前記他の無線端末との通信が不能になったことに応じて、前記第２情報を前記ネットワークへ通知するよう構成されてもよい。
【００１７】
前記コントローラは、前記無線端末の位置が変更されたことに応じて、前記他の無線端末の代わりに、前記ネットワークに登録される前記他の無線端末の位置を更新するよう構成されてもよい。
【００１８】
前記トランスミッタは、前記無線端末の位置が変更されたことに応じて、前記ネットワークに登録される前記他の無線端末の位置を更新させるための通知を前記他の無線端末へ送信するよう構成されてもよい。
【００１９】
前記コントローラは、前記ネットワークに登録される前記無線端末の位置が更新されたことに応じて、前記無線端末の位置が変更されたと判定するよう構成されてもよい。
【００２０】
前記コントローラは、選択セルが変更されたことに応じて、前記無線端末の位置が変更されたと判定するよう構成されてもよい。
【００２１】
ネットワーク装置は、コントローラを備える。前記コントローラは、第１の無線端末が第２の無線端末の中継端末であることを示す第１情報を受け取り、前記第１の無線端末を経由する前記第２の無線端末と前記ネットワーク装置との間の接続を介して、前記第２の無線端末宛てのデータを前記第２の無線端末へ送り、前記接続の少なくとも一部が解放されている場合に、前記第１情報に基づいて、前記第２の無線端末宛てのデータが存在することを示すメッセージを前記第１の無線端末へ通知する、よう構成される。
【００２２】
［実施形態］
（移動通信システム）
以下において、実施形態に係る移動通信システムであるＬＴＥシステムについて説明する。図１は、ＬＴＥシステムの構成を示す図である。
【００２３】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２４】
ＵＥ１００は、通信装置（無線端末）に相当する。ＵＥ１００は、移動型の通信装置である。ＵＥ１００は、セル（後述するｅＮＢ２００）と無線通信を行う。ＵＥ１００の構成については後述する。
【００２５】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２６】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００２７】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、及びＳＧＷ（Ｓｅｒｖｉｎｇ  Ｇａｔｅｗａｙ）４００、ＰＧＷ５００を含む。
【００２８】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してｅＮＢ２００と接続される。ＰＧＷ（Ｐａｃｋｅｔ  ｄａｔａ  Ｎｅｔｗｏｒｋ  Ｇａｔｅｗａｙ）５００は、外部ネットワークから（及び外部ネットワークに）ユーザデータを中継する制御を行う。
【００２９】
ＬＴＥシステムは、ＨＳＳ（Ｈｏｍｅ  Ｓｕｂｓｃｒｉｂｅｒ  Ｓｅｒｖｅｒ）６００を備えてもよい。ＨＳＳ６００は、ユーザ情報を管理する。ＨＳＳ６００は、例えば、サービス制御及び加入者データを取り扱う。ＨＳＳ６００は、ＭＭＥ３００と通信を行う。
【００３０】
図２は、ＬＴＥシステムにおける無線インターフェイスのプロトコルスタック図である。図２に示すように、無線インターフェイスプロトコルは、ＯＳＩ参照モデルの第１層乃至第３層に区分される。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３１】
物理層は、符号化・復号化、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３２】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラ（ＭＡＣ  スケジューラ）を含む。スケジューラは、上下リンクのトランスポートフォーマット（トランスポートブロックサイズ、変調・符号化方式（ＭＣＳ））及びＵＥ１００への割当リソースブロックを決定する。
【００３３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３４】
ＰＤＣＰ層は、ヘッダ圧縮・伸張、及び暗号化・復号化を行う。
【００３５】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は、ＲＲＣコネクティッド状態である。ＵＥ１００のＲＲＣとｅＮＢ２００のＲＲＣとの間にＲＲＣ接続がない場合、ＵＥ１００は、ＲＲＣアイドル状態である。
【００３６】
ＲＲＣ層の上位に位置するＮＡＳ（Ｎｏｎ−Ａｃｃｅｓｓ  Ｓｔｒａｔｕｍ）層は、例えば、セッション管理及びモビリティ管理を行う。
【００３７】
図３は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。上りリンクにはＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００３８】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数のリソースブロック（ＲＢ：Ｒｅｓｏｕｒｃｅ  Ｂｌｏｃｋ）を含む。各サブフレームは、時間方向に複数のシンボルを含む。各リソースブロックは、周波数方向に複数のサブキャリアを含む。１つのシンボル及び１つのサブキャリアにより、１つのリソースエレメント（ＲＥ：Ｒｅｓｏｕｒｃｅ  Ｅｌｅｍｅｎｔ）が構成される。ＵＥ１００には、無線リソース（時間・周波数リソース）が割り当てられる。周波数方向において、無線リソース（周波数リソース）は、リソースブロックにより構成される。時間方向において、無線リソース（時間リソース）は、サブフレーム（又はスロット）により構成される。
【００３９】
下りリンクにおいて、各サブフレームの先頭数シンボルの区間は、下りリンク制御信号を伝送するための物理下りリンク制御チャネル（ＰＤＣＣＨ：Ｐｈｙｓｉｃａｌ  Ｄｏｗｎｌｉｎｋ．  Ｃｏｎｔｒｏｌ  Ｃｈａｎｎｅｌ）として使用可能な領域である。各サブフレームの残りの部分は、下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として使用可能な領域である。
【００４０】
上りリンクにおいて、各サブフレームにおける周波数方向の両端部は、上りリンク制御信号を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として使用可能な領域である。各サブフレームにおける残りの部分は、上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として使用可能な領域である。
【００４１】
（近傍サービス）
近傍サービス（ＰｒｏＳｅ：Ｐｒｏｘｉｍｉｔｙ−ｂａｓｅｄ  Ｓｅｒｖｉｃｅｓ）について説明する。近傍サービスは、互いに近傍にある通信装置（例えば、ＵＥ１００）に基づいて３ＧＰＰシステムにより提供され得るサービスである。
【００４２】
ＰｒｏＳｅでは、ｅＮＢ２００を経由せずにノード間（例えば、ＵＥ間）で直接的な無線リンクを介して各種の無線信号が送受信される。ＰｒｏＳｅにおける直接的な無線リンクは、「サイドリンク（Ｓｉｄｅｌｉｎｋ）」と称される。
【００４３】
サイドリンクは、サイドリンク通信及びサイドリンクディスカバリのためのインターフェイス（例えば、ＵＥとＵＥとの間のインターフェイス）であってもよい。サイドリンク通信は、ＰｒｏＳｅ直接通信（以下、「直接通信」と適宜称する）を可能にする機能（ＡＳ  ｆｕｎｃｔｉｏｎａｌｉｔｙ）である。サイドリンクティスカバリは、ＰｒｏＳｅ直接ディスカバリ（以下、「直接ディスカバリ」と適宜称する）を可能にする機能（ＡＳ  ｆｕｎｃｔｉｏｎａｌｉｔｙ）である。
【００４４】
サイドリンクは、ＰＣ５インターフェイス（ＰＣ５接続）に対応する。ＰＣ５は、ＰｒｏＳｅ直接ディスカバリ、ＰｒｏＳｅ直接通信及びＰｒｏＳｅ  ＵＥ−ｔｏ−ネットワーク中継のための制御プレーン及びユーザプレーンのために用いられるＰｒｏＳｅ使用可能なＵＥ（ＰｒｏＳｅ−ｅｎａｂｌｅｄ  ＵＥ）間の参照ポイントである。
【００４５】
ＰｒｏＳｅは、「直接ディスカバリ（Ｄｉｒｅｃｔ  Ｄｉｓｃｏｖｅｒｙ）」及び「直接通信（Ｄｉｒｅｃｔ  Ｃｏｍｍｕｎｉｃａｔｉｏｎ）」及び「Ｒｅｌａｙ」のモードが規定されている。「Ｒｅｌａｙ」については後述する。
【００４６】
直接ディスカバリは、特定の宛先を指定しないディスカバリメッセージ（ディスカバリ信号）をＵＥ間で直接的に伝送することにより、相手先を探索するモードである。直接ディスカバリは、ＰＣ５を介してＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）における直接無線信号を用いて、ＵＥの近傍における他のＵＥを発見するための手順である。或いは、直接ディスカバリは、Ｅ−ＵＴＲＡ技術で２つのＵＥ１００の能力のみを用いて、近傍サービスを実行可能な他のＵＥ１００を発見するために近傍サービスを実行可能なＵＥ１００によって採用される手順である。直接ディスカバリは、ＵＥ１００がＥ−ＵＴＲＡＮ（ｅＮＢ２００（セル））によってサービスが提供される場合にのみ、サポートされる。ＵＥ１００は、セル（ｅＮＢ２００）に接続又はセルに在圏している場合、Ｅ−ＵＴＲＡＮによってサービスが提供され得る。
【００４７】
ディスカバリメッセージ（ディスカバリ信号）の送信（アナウンスメント）のためのリソース割り当てタイプには、「タイプ１」と「タイプ２（タイプ２Ｂ）」とがある。「タイプ１」では、ＵＥ１００が無線リソースを選択する。「タイプ２」では、ｅＮＢ２００が無線リソースを割り当てる。タイプ１では、ＵＥ１００は、ｅＮＢ２００から提供されたリソースプールの中から無線リソースを選択してもよい。
【００４８】
「Ｓｉｄｅｌｉｎｋ  Ｄｉｒｅｃｔ  Ｄｉｓｃｏｖｅｒｙ」プロトコルスタックは、物理（ＰＨＹ）層、ＭＡＣ層、及びＰｒｏＳｅプロトコルを含む。ＵＥ（Ａ）の物理層とＵＥ（Ｂ）の物理層との間では、物理サイドリンクディスカバリチャネル（ＰＳＤＣＨ）と称される物理チャネルを介してディスカバリ信号が伝送される。ＵＥ（Ａ）のＭＡＣ層とＵＥ（Ｂ）のＭＡＣ層との間では、サイドリンクディスカバリチャネル（ＳＬ−ＤＣＨ）と称されるトランスポートチャネルを介してディスカバリ信号が伝送される。
【００４９】
直接通信は、特定の宛先（宛先グループ）を指定してデータをＵＥ間で直接的に伝送するモードである。直接通信は、いずれのネットワークノードを通過しない経路を介してＥ−ＵＴＲＡ技術を用いたユーザプレーン伝送による、近傍サービスを実行可能である２以上のＵＥ間の通信である。
【００５０】
直接通信のリソース割り当てタイプには、「モード１」と「モード２」とがある。「モード１」では、直接通信の無線リソースをｅＮＢ２００が指定する。「モード２」では、直接通信の無線リソースをＵＥ１００が選択する。モード２では、ＵＥ１００は、ｅＮＢ２００から提供されたリソースプールの中から無線リソースを選択してもよい。
【００５１】
直接通信プロトコルスタックは、物理（ＰＨＹ）層、ＭＡＣ層、ＲＬＣ層、及びＰＤＣＰ層を含む。ＵＥ（Ａ）の物理層とＵＥ（Ｂ）の物理層との間では、物理サイドリンク制御チャネル（ＰＳＣＣＨ）を介して制御信号が伝送され、物理サイドリンク共有チャネル（ＰＳＳＣＨ）を介してデータが伝送される。物理サイドリンクブロードキャストチャネル（ＰＳＢＣＨ）を介して同期信号等が伝送されてもよい。ＵＥ（Ａ）のＭＡＣ層とＵＥ（Ｂ）のＭＡＣ層との間では、サイドリンク共有チャネル（ＳＬ−ＳＣＨ）と称されるトランスポートチャネルを介してデータが伝送される。ＵＥ（Ａ）のＲＬＣ層とＵＥ（Ｂ）のＲＬＣ層との間では、サイドリンクトラフィックチャネル（ＳＴＣＨ）と称される論理チャネルを介してデータが伝送される。
【００５２】
（近傍サービスを利用した中継）
近傍サービスを利用した中継（ＰｒｏＳｅ中継／ＰｒｏＳｅ  ＵＥ−ｔｏ−ネットワーク中継）について、図４を用いて説明する。図４は、実施形態に係る近傍サービスを利用した中継を説明するための図である。
【００５３】
図４において、リモートＵＥ（Ｒｅｍｏｔｅ  ＵＥ）は、リレーＵＥ（ＰｒｏＳｅ  ＵＥ−ｔｏ−Ｎｅｔｗｏｒｋ  Ｒｅｌａｙ）を介してＰＤＮ（Ｐａｃｋｅｔ  Ｄａｔａ  Ｎｅｔｗｏｒｋ）と通信を行うＵＥ１００である。リモートＵＥは、公衆安全（Ｐｕｂｌｉｃ  Ｓａｆｅｔｙ）のためのＵＥ（ＰｒｏＳｅ−ｅｎａｂｌｅｄ  Ｐｕｂｌｉｃ  Ｓａｆｅｔｙ  ＵＥ）であってもよい。
【００５４】
「ＰｒｏＳｅ−ｅｎａｂｌｅｄ  Ｐｕｂｌｉｃ  Ｓａｆｅｔｙ  ＵＥ」は、ＨＰＬＭＮ（Ｈｏｍｅ  Ｐｕｂｌｉｃ  Ｌａｎｄ  Ｍｏｂｉｌｅ  Ｎｅｔｗｏｒｋ）が公衆安全のための使用を認証するように構成されている。「ＰｒｏＳｅ−ｅｎａｂｌｅｄ  Ｐｕｂｌｉｃ  Ｓａｆｅｔｙ  ＵＥ」は、近傍サービスを利用可能であり、近傍サービスにおける手順及び公衆安全のための特定の能力をサポートしている。例えば、「ＰｒｏＳｅ−ｅｎａｂｌｅｄ  Ｐｕｂｌｉｃ  Ｓａｆｅｔｙ  ＵＥ」は、公衆安全のための情報を近傍サービスにより送信する。公衆安全のための情報とは、例えば、災害（地震・火災など）に関する情報、消防関係者又は警察関係者に用いられる情報などである。
【００５５】
リモートＵＥは、ネットワーク圏外（Ｏｕｔ−ｏｆ−Ｎｅｔｗｏｒｋ）に位置するＵＥであってもよい。すなわち、リモートＵＥは、セルのカバレッジ外に位置してもよい。リモートＵＥは、セルのカバレッジ内に位置する場合も有り得る。従って、リモートＵＥは、Ｅ−ＵＴＲＡＮ１０によって直接サービスが提供されないＵＥ１００（Ｅ−ＵＴＲＡＮ１０によってサーブ（ｓｅｒｖｅ）されないＵＥ１００）であってもよい。リモートＵＥは、後述するように、リレーＵＥからＰｒｏＳｅ中継サービスを提供される。ＰｒｏＳｅ中継サービスが提供されるリモートＵＥとＰｒｏＳｅ中継サービスを提供するリレーＵＥとの間で中継が実行される。
【００５６】
リレーＵＥ（ＰｒｏＳｅ  ＵＥ−ｔｏ−Ｎｅｔｗｏｒｋ  Ｒｅｌａｙ）は、リモートＵＥのための「ユニキャスト」サービスの接続性をサポートするための機能を提供する。従って、リレーＵＥは、ＰｒｏＳｅ中継サービスをリモートＵＥのために提供する。リレーＵＥは、リモートＵＥとネットワークとの間でデータ（ユニキャストトラフィック）を中継できる。リレーＵＥは、近傍サービス（直接通信）によりリモートＵＥのデータ（トラフィック）を中継できる。具体的には、リレーＵＥは、ＰＣ５インターフェイスを介してリモートＵＥから受信したデータ（上りトラフィック）を、Ｕｕインターフェイス（ＬＴＥ−Ｕｕ）又はＵｎインターフェイス（ＬＴＥ−Ｕｎ）を介してｅＮＢ２００に中継できる。リレーＵＥは、Ｕｕインターフェイス又はＵｎインターフェイスを介してｅＮＢ２００から受信したデータ（下りトラフィック）をＰＣ５インターフェイスを介してリモートＵＥへ中継できる。リレーＵＥは、ネットワーク内（セルのカバレッジ内）にのみ位置してもよい。
【００５７】
リレーＵＥは、公衆安全のための通信に関係する任意のタイプのトラフィックを中継できる包括的な機能を提供することができる。
【００５８】
リレーＵＥとリモートＵＥとは、物理層間でデータ及び制御信号を伝送できる。同様に、リレーＵＥとリモートＵＥとは、ＭＡＣ層間、ＲＬＣ層間及びＰＤＣＰ層間でデータ及び制御信号を伝送できる。リレーＵＥは、ＰＤＣＰ層の上位層としてＩＰリレー（ＩＰＲｅｌａｙ）層を有してもよい。リモートＵＥは、ＰＤＣＰ層の上位層としてＩＰ層を有してもよい。リレーＵＥとリモートＵＥとは、ＩＰリレー層とＩＰ層との間でデータ及び制御信号を伝送できる。リレーＵＥは、ＩＰリレー層とＩＰ−ＧＷ３５０のＩＰ層との間でデータを伝送できる。
【００５９】
リレーＵＥは、ＡＳ層（Ａｃｃｅｓｓ  Ｓｔｒａｔｕｍ）において、ブロードキャストを用いてリモートＵＥにデータ（トラフィック）を送信できる。リレーＵＥは、ＡＳ層において、ユニキャストを用いてリモートＵＥにデータを送信してもよい。ＰｒｏＳｅ中継サービスがブロードキャストを用いて実行されている場合、リレーＵＥとリモートＵＥとの間において、ＡＳ層におけるフィードバックを行わずに、ＮＡＳ層（Ｎｏｎ  Ａｃｃｅｓｓ  Ｓｔｒａｔｕｍ）におけるフィードバックが行われてもよい。ＰｒｏＳｅ  ＵＥ−ｔｏ−ネットワーク中継がユニキャストを用いて実行されている場合、ＡＳ層におけるフィードバックが行われてもよい。
【００６０】
（無線端末）
実施形態に係るＵＥ１００（無線端末／ウェアラブル端末）について説明する。図５は、ＵＥ１００のブロック図である。図５に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００６１】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００６２】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１３０は、無線信号をアンテナから送信する。
【００６３】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号化を行う。ＣＰＵは、メモリに記憶されるプログラムを実行することにより、各種の処理を行う。プロセッサは、音声・映像信号の符号化・復号化を行うコーデックを含んでもよい。プロセッサは、後述する各種の処理及び上述した各種の通信プロトコルを実行する。
【００６４】
ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ（Ｇｌｏｂａｌ  Ｐｏｓｉｔｉｏｎｉｎｇ  Ｓｙｓｔｅｍ）機能を有していてもよい。
【００６５】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００６６】
（基地局）
実施形態に係るｅＮＢ２００（基地局）について説明する。図６は、ｅＮＢ２００のブロック図である。図６に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００６７】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００６８】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００６９】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００７０】
ネットワークインターフェイス２４０は、Ｘ２インターフェイスを介して隣接ｅＮＢ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。ネットワークインターフェイス２４０は、ＨＳＳ６００との通信に使用される。
【００７１】
本明細書では、ｅＮＢ２００が備えるトランスミッタ２１０、レシーバ２２０、コントローラ２３０、及びネットワークインターフェイス２４０の少なくともいずれかが実行する処理を、便宜上、ｅＮＢ２００が実行する処理（動作）として説明する。
【００７２】
（ネットワーク装置）
実施形態に係るネットワーク装置（ＮＷ装置）について説明する。一例として、ＭＭＥ３００について説明する。
【００７３】
図７は、ＭＭＥ３００のブロック図である。図７に示すように、ＭＭＥ３００は、コントローラ（制御部）３３０、及びネットワークインターフェイス３４０を備える。
【００７４】
コントローラ３３０は、ＭＭＥ３００における各種の制御を行う。コントローラ３３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００７５】
ネットワークインターフェイス３４０は、他のノード（ｅＮＢ２００及び／又は他のネットワーク装置）と所定のインターフェイスを介して接続される。ネットワークインターフェイス３４０は、所定のインターフェイス上で行う他のネットワーク装置との通信に使用される。
【００７６】
他のＮＷ装置は、ＭＭＥ３００と同様の構成を有するため、説明を省略する。本明細書では、ＮＷ装置が備えるコントローラ、及びネットワークインターフェイスの少なくともいずれかが実行する処理を、便宜上、ＮＷ装置が実行する処理（動作）として説明する。
【００７７】
（実施形態に係る動作）
次に、実施形態に係る動作について、動作例１から４により説明する。
【００７８】
（Ａ）動作例１
動作例１について、図８及び図９を用いて説明する。図８は、動作環境を説明するための図である。図９は、動作例１を説明するためのシーケンス図である。
【００７９】
図８に示すように、ＵＥ１００は、ｅＮＢ２００が制御するセルに在圏する。ＵＥ１００は、ｅＮＢ２００（セル）とＲＲＣ接続状態であってもよい。ＵＥ１００は、ＲＲＣアイドル状態であってもよい。
【００８０】
ＵＥ１００（が備えるレシーバ１１０、トランスミッタ１２０、及びコントローラ１３０）は、セルラ通信（上り信号の送信及び下り信号の受信）及びサイドリンク動作（サイドリンク信号の送信及び／又は受信）を実行することが可能である。サイドリンク信号は、直接通信における信号及び直接ディスカバリにおける信号の少なくとも一方であってもよい。サイドリンク信号は、サイドリンクにおける同期のための同期信号（ＳＬＳＳ：ＳｉｄｅｌｉｎｋＳｙｎｃｈｒｏｎｉｚａｔｉｏｎＳｉｇｎａｌ）を含んでもよい。サイドリンク信号は、ＰＣ５上での制御プレーン信号のために用いられるＰＣ５信号であってもよい。
【００８１】
ｗＵＥ１５０は、ｅＮＢ２００が制御するセル内に位置する。ｗＵＥ１５０は、セル外に位置してもよい。ｗＵＥ１５０は、ｅＮＢ２００（セル）とＲＲＣアイドル状態である。
【００８２】
ｗＵＥ１５０（が備えるレシーバ１１０、トランスミッタ１２０、及びコントローラ１３０）は、サイドリンク動作を実行するために用いることができる。ｗＵＥ１５０は、下り信号の受信を実行可能である。ｗＵＥ１５０は、上り信号の送信が実行可能であってもよいし、実行不能であってもよい。従って、ｗＵＥ１５０は、上り信号を送信するためのトランスミッタ１２０を備えていなくてもよい。
【００８３】
本実施形態において、ｗＵＥ１５０は、ウェアラブルＵＥである。すなわち、ｗＵＥ１５０は、ユーザが着用可能な通信装置である。ＵＥ１００とｗＵＥ１５０とは、ユーザに保持されているため、ＵＥ１００とｗＵＥ１５０とは、近距離状態である。ユーザの移動に伴って、ＵＥ１００とｗＵＥ１５０とは近距離状態を維持しながら共に移動する。
【００８４】
ｗＵＥ１５０は、近距離用の装置であってもよい。ｗＵＥ１５０は、サイドリンク動作が近距離（数ｍ（例えば、２ｍ）の範囲内）で実行されることが想定される通信装置であってもよい。
【００８５】
本明細書において、「近距離」は、通信可能な距離（例えば、数ｍの範囲）によって規定されてもよい。例えば、近距離な装置間（ＵＥ−ｗＵＥ間／ｗＵＥ−ｗＵＥ間）でのサイドリンク信号の最大到達距離（最大到達範囲）は、通常のＵＥ間（ＵＥ−ＵＥ間）でのサイドリンク信号の最大到達距離よりも短い。近距離な装置間でのサイドリンク信号の最大到達距離は、ＵＥ−ｅＮＢ間の上りリンク信号の最大到達距離よりも短いことは勿論である。
【００８６】
「近距離」は、サイドリンク信号の（最大）送信電力（例えば、最大送信電力が０ｄＢｍ以下）によって規定されてもよい。例えば、近距離な装置間（ＵＥ−ｗＵＥ間／ｗＵＥ−ｗＵＥ間）でのサイドリンク信号の最大送信電力は、通常のＵＥ間（ＵＥ−ＵＥ間）でのサイドリンク信号の最大送信電力よりも小さい。近距離な装置間でのサイドリンク信号の最大送信電力は、ＵＥ−ｅＮＢ間の上りリンク信号の最大送信電力よりも短いことは勿論である。
【００８７】
「近距離」は、ｗＵＥ１５０が利用可能なリソースプール（の条件／設定）により、規定されてもよい。
【００８８】
ｗＵＥ１５０は、既存のＵＥ１００と異なり、既存のＳＩＭ（Ｓｕｂｓｃｒｉｂｅｒ  Ｉｄｅｎｔｉｔｙ  Ｍｏｄｕｌｅ  Ｃａｒｄ）の装着が不要であってもよい。ｗＵＥ１５０は、近距離用のＳＩＭ（Ｄ２Ｄ  ＳＩＭ）が装着可能であってもよい。
【００８９】
図９において、ｗＵＥ１５０とネットワークとの間で中継のための接続（以下、中継接続）が確立される。中継接続は、ｗＵＥ１５０とｅＮＢ２００との間の接続であってもよい。中継接続は、ｗＵＥ１５０とｅＮＢ２００との間のＲＲＣ接続であってもよい。中継接続は、ｗＵＥ１５０とＭＭＥ３００との間の接続であってもよい。
【００９０】
ＵＥ１００とｗＵＥ１５０との間の接続は、ＰＣ５インターフェイスを介した接続（ＰＣ５接続）であってもよい。ＵＥ１００とｗＵＥ１５０との間の接続は、ｎｏｎ−３ＧＰＰアクセスに基づく接続であってもよい。この場合、ｎｏｎ−３ＧＰＰの仕様書に従って、ＵＥ１００とｗＵＥ１５０との間でデータが伝送される。ＵＥ１００とｅＮＢ２００との間の接続は、ＲＲＣ接続であってもよい。ＵＥ１００とｗＵＥ１５０との間の接続及びＵＥ１００とｅＮＢ２００との間の接続により、ｗＵＥ１５０とネットワークとの間に、ＵＥ１００を経由する中継接続が確立されてもよい。
【００９１】
ＵＥ１００とｗＵＥ１５０とは、中継接続を確立する際に、又は中継接続を確立した後、後述のＷｅａｒａｂｌｅ  Ａｔｔａｃｈ情報に含まれる情報を交換又は送信／受信をしてもよい。
【００９２】
図９に示すように、ステップＳ１１０Ａにおいて、ｗＵＥ１５０は、ＵＥ１００がｗＵＥ１５０のリレーＵＥ（中継端末）であることを示す情報（Ｗｅａｒａｂｌｅ  Ａｔｔａｃｈ情報）をネットワークへ通知してもよい。例えば、ｗＵＥ１５０は、中継接続を介して、Ｗｅａｒａｂｌｅ  Ａｔｔａｃｈ情報をＭＭＥ３００へ通知する。ｗＵＥ１５０が、Ｗｅａｒａｂｌｅ  Ａｔｔａｃｈ情報をＵＥ１００へ送り、ＵＥ１００が、ＭＭＥ３００へＷｅａｒａｂｌｅ  Ａｔｔａｃｈ情報を通知してもよい。或いは、ｗＵＥ１５０は、Ｗｅａｒａｂｌｅ  Ａｔｔａｃｈ情報をＭＭＥ３００へ直接通知してもよい。すなわち、ＵＥ１００がＷｅａｒａｂｌｅ  Ａｔｔａｃｈ情報を認識せずに、ＵＥ１００が、ｗＵＥ１５０からのＷｅａｒａｂｌｅ  Ａｔｔａｃｈ情報をＭＭＥ３００へ送ってもよい。
【００９３】
ｗＵＥ１５０は、中継接続が確立されたことに応じて、Ｗｅａｒａｂｌｅ  Ａｔｔａｃｈ情報をネットワークへ通知してもよい。ｗＵＥ１５０は、ＨＳＳ６００又は他のネットワーク装置（例えば、近傍サービスによる中継を管理するネットワーク装置）へＷｅａｒａｂｌｅ  Ａｔｔａｃｈ情報を通知してもよい。
【００９４】
Ｗｅａｒａｂｌｅ  Ａｔｔａｃｈ情報は、リレーＵＥであるＵＥ１００の情報（Ｒｅｌａｙ  ＵＥ’ｓ  ｉｎｆｏｒｍａｔｉｏｎ）を含む。Ｗｅａｒａｂｌｅ  Ａｔｔａｃｈ情報は、ＵＥ１００の識別子（例えば、Ｒｅｌａｙ  ＩＤ、ＰｒｏＳｅ  ＩＤ、Ｄｅｓｔｉｎａｔｉｏｎ  ＩＤ、Ｄｅｓｔｉｎａｔｉｏｎ  Ｉｎｄｅｘ、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＩＰアドレス（ＩＰ  ａｄｄｒｅｓｓ）、ＭＡＣアドレス（ＭＡＣ  ａｄｄｒｅｓｓ）など）を含んでもよい。ＰｒｏＳｅ  ＩＤは、ＰｒｏＳｅを管理するネットワーク装置によりＵＥ１００へ割り当てられた識別子である。Ｄｅｓｔｉｎａｔｉｏｎ  ＩＤ（Ｄｅｓｔｉｎａｔｉｏｎ  Ｉｎｄｅｘ）は、ｗＵＥ１５０の送信先（すなわち、ＵＥ１００）を示す識別子である。Ｗｅａｒａｂｌｅ  Ａｔｔａｃｈ情報は、リモートＵＥであるｗＵＥ１５０の識別子を含んでもよい。
【００９５】
Ｗｅａｒａｂｌｅ  Ａｔｔａｃｈ情報は、ｗＵＥ１５０が、ｗＵＥ１５０宛てのＵＥ  ｔｅｒｍｉｎａｔｅｄ  ｓｅｒｖｉｃｅ（データ／パケット）をリレーＵＥを通じて受信可能であることを示す情報を含んでいてもよい。ネットワークは、当該情報を受け取った場合にのみ、以下で説明する動作を実行してもよい。
【００９６】
ステップＳ１１０Ｂにおいて、ＵＥ１００は、Ｗｅａｒａｂｌｅ  Ａｔｔａｃｈ情報をネットワークへ通知してもよい。
【００９７】
Ｗｅａｒａｂｌｅ  Ａｔｔａｃｈ情報は、リモートＵＥであるｗＵＥ１５０の情報（ｗＵＥ’ｓ  ｉｎｆｏｒｍａｔｉｏｎ）を含む。Ｗｅａｒａｂｌｅ  Ａｔｔａｃｈ情報は、ｗＵＥ１５０の識別子（例えば、ＰｒｏＳｅ  ＩＤ、Ｄｅｓｔｉｎａｔｉｏｎ  ＩＤ、Ｄｅｓｔｉｎａｔｉｏｎ  Ｉｎｄｅｘ、ＩＭＥＩ、ＩＭＳＩ、ＩＰアドレス（ＩＰ  ａｄｄｒｅｓｓ）、ＭＡＣアドレス（ＭＡＣ  ａｄｄｒｅｓｓ）など）を含んでもよい。
【００９８】
Ｄｅｓｔｉｎａｔｉｏｎ  ＩＤは、ｗＵＥ１５０の送信先（すなわち、ＵＥ１００）を示す識別子である。Ｄｅｓｔｉｎａｔｉｏｎ  ＩＤは、ＵＥ１００の送信先（すなわち、ｗＵＥ１５０）を示す識別子である。Ｗｅａｒａｂｌｅ  Ａｔｔａｃｈ情報は、リレーＵＥであるＵＥ１００の識別子を含んでもよい。
【００９９】
Ｗｅａｒａｂｌｅ  Ａｔｔａｃｈ情報は、ＵＥ１００が、ｗＵＥ１５０宛てのＵＥ  ｔｅｒｍｉｎａｔｅｄ  ｓｅｒｖｉｃｅ（データ／パケット）を転送（中継）可能であることを示す情報を含んでいてもよい。ネットワークは、当該情報を受け取った場合にのみ、以下で説明する動作を実行してもよい。
【０１００】
ステップＳ１１０Ａ及びステップ１１０Ｂの処理の少なくとも一方が実行されてもよい。
【０１０１】
ＭＭＥ３００は、Ｗｅａｒａｂｌｅ  Ａｔｔａｃｈ情報に基づいて、リレーＵＥとリモートＵＥとの関係を記憶してもよい。ＭＭＥ３００は、ｗＵＥ１５０のリレーＵＥが、ＵＥ１００であることを記憶してもよい。ＭＭＥ３００は、リレーＵＥとリモートＵＥとの関係に関するリストを保持していてもよい。ＭＭＥ３００は、Ｗｅａｒａｂｌｅ  Ａｔｔａｃｈ情報に基づいて、リストを更新してもよい。ＭＭＥ３００は、Ｗｅａｒａｂｌｅ  Ａｔｔａｃｈ情報をＨＳＳ６００へ転送してもよい。ＨＳＳ６００が、リレーＵＥとリモートＵＥとの関係を記憶してもよい。ＭＭＥ３００は、近傍サービスによる中継を管理するネットワーク装置へＷｅａｒａｂｌｅ  Ａｔｔａｃｈ情報を転送してもよい。ネットワーク装置が、リレーＵＥとリモートＵＥとの関係を記憶してもよい。
【０１０２】
その後、ＵＥ１００とｗＵＥ１５０との間の接続が解放されたと仮定する。ＵＥ１００とｅＮＢ２００との間のＲＲＣ接続は、維持されていると仮定する。これにより、中継接続の一部が解放されている。
【０１０３】
ＵＥ１００とｗＵＥ１５０との間の接続が解放された場合であっても、ＭＭＥ３００（又はＨＳＳ６００等）は、リレーＵＥとリモートＵＥとの関係に関する情報（リスト）を保持する。
【０１０４】
ステップＳ１２０において、ＭＭＥ３００は、ｗＵＥ１５０宛てのデータが存在する（到着した）ことを示すメッセージ（Ｉｎｄｉｃａｔｉｏｎ  ｏｆ  ａｒｒｉｖａｌ  ｏｆ  ｗＵＥ’ｓ  ｔｒａｆｆｉｃ）をＵＥ１００へ送る。ＭＭＥ３００は、ｗＵＥ１５０宛てのデータが到着したことをＳＧＷ４００から知らされたことに応じて、前記メッセージをＵＥ１００へ送ってもよい。
【０１０５】
ＭＭＥ３００は、リストに基づいて、ｗＵＥ１５０のリレーＵＥであるＵＥ１００を特定できる。すなわち、ＭＭＥ３００は、メッセージの送り先であるＵＥ１００を特定できる。ＭＭＥ３００は、ｗＵＥ１５０のリレーＵＥを問い合わせるメッセージをＨＳＳ６００（又はネットワーク装置）へ送ってもよい。ＭＭＥ３００は、ＨＳＳ６００（又はネットワーク装置）からの応答メッセージ（に含まれるＵＥ１００の識別子）に基づいて、ＵＥ１００を特定してもよい。
【０１０６】
メッセージは、中継接続の確立を促すためのメッセージであってもよい。メッセージは、ＵＥ１００とｗＵＥ１５０との間の接続の確立を促すためのメッセージであってもよい。メッセージは、ｗＵＥ１５０宛てのデータの伝送を促すためのメッセージであってもよい。メッセージは、ｅＮＢ２００からｗＵＥ１５０への直接的なデータの伝送ではなく、中継接続を介した間接的なデータの伝送を実行することを示すためのメッセージであってもよい。
【０１０７】
ＵＥ１００は、中継接続の一部が開放されている場合に、メッセージをネットワーク（ＭＭＥ３００）から受信する。
【０１０８】
ステップＳ１３０において、ＵＥ１００は、メッセージの受信に応じて、ＵＥ１００とｗＵＥ１５０との間の接続を確立するための制御を開始する。ＵＥ１００は、ＵＥ１００とｗＵＥ１５０との間の接続を確立することによって、ｗＵＥ１５０とネットワークとの間の中継接続を（再）確立する。
【０１０９】
ＵＥ１００は、ｅＮＢ２００からのメッセージをｗＵＥ１５０へ送ってもよい。ＵＥ１００は、ｅＮＢ２００からのメッセージ（ＲＲＣメッセージ）をｗＵＥ１５０とｅＮＢ２００との間にＲＲＣ接続を介して、転送してもよい。ＵＥ１００は、ｅＮＢ２００からのメッセージを含むＰＣ５メッセージをＰＣ５接続を介して、転送してもよい。ｗＵＥ１５０は、ｗＵＥ１５０がセルのカバレッジ内に位置する場合であっても、ｅＮＢ２００からのメッセージにより、中継接続によりデータが伝送されることを把握することができる。ｗＵＥ１５０は、拡張カバレッジにいる場合には、ｅＮＢ２００（ネットワーク）からの繰り返し送信（Ｒｅｐｅｔｉｔｉｏｎ）に対するモニタを実行しなければならない。このため、ｗＵＥ１５０は、ｅＮＢ２００からのメッセージにより、繰り返し送信（Ｒｅｐｅｔｉｔｉｏｎ）に対するモニタを省略できる。その結果、ｗＵＥ１５０の負荷を低減できる。
【０１１０】
ステップＳ１４０において、ｗＵＥ１５０宛てのデータ（ｗＵＥ‘ｓ  ｔｒａｆｆｉｃ）が、中継接続を介して、ネットワークからｗＵＥ１５０へ伝送される。具体的には、ＵＥ１００は、中継接続を介して、ｗＵＥ１５０宛てのデータをネットワークから受信し、当該データをｗＵＥ１５０へ転送する。
【０１１１】
従来であれば、ＵＥ１００とｗＵＥ１５０との間の接続が解放された場合、中継不能であるため、ネットワーク上に記憶されたＵＥ１００とｗＵＥ１５０との関係が破棄されることが想定される。このため、ＳＧＷ４００（又はＰＧＷ５００）にｗＵＥ１５０宛てのデータが届いても、ｗＵＥ１５０宛てのデータが存在することをｗＵＥ１５０へ通知することができなかった。
【０１１２】
上記動作例１によれば、ＵＥ１００とｗＵＥ１５０との間の接続が解放されている場合であっても、ネットワークからのメッセージにより、ＵＥ１００は、ＵＥ１００とｗＵＥ１５０との間の接続を確立するための制御を開始する。これにより、中継接続が（再）確立されるため、ｗＵＥ１５０は、データを受信することができる。
【０１１３】
ｗＵＥ１５０は、ウェアラブルＵＥであるため、ウェアラブルＵＥを身に付けている使用者が保持する特定のＵＥ１００（例えば、携帯電話など）の傍にいる可能性が高い。従って、中継接続が（一時的に）解放されている場合であっても、ＵＥ  ｔｅｒｍｉｎａｔｅｄ  ｓｅｒｖｉｃｅ伝送のために、すぐに中継接続を（再）確立することができる。
【０１１４】
ステップＳ１５０Ａにおいて、ｗＵＥ１５０は、ＵＥ１００がｗＵＥ１５０のリレーＵＥであることをネットワークから削除（解放）するための情報（Ｗｅａｒａｂｌｅ  Ｄｅｔａｃｈ情報）をネットワークへ通知してもよい。ｗＵＥ１５０は、ＵＥ  ｔｅｒｍｉｎａｔｅｄ  ｓｅｒｖｉｃｅの伝送が必要とないことに応じて、Ｗｅａｒａｂｌｅ  Ｄｅｔａｃｈ情報をネットワーク（ＭＭＥ３００、ＨＳＳ６００等）へ通知してもよい。例えば、ｗＵＥ１５０は、電源をオフにする動作を開始したことに応じて、Ｗｅａｒａｂｌｅ  Ｄｅｔａｃｈ情報をネットワークへ通知してもよい。
【０１１５】
Ｗｅａｒａｂｌｅ  Ｄｅｔａｃｈ情報は、ネットワークに記憶されたリレーＵＥとリモートＵＥとの関係を削除（解放）するための情報であってもよい。Ｗｅａｒａｂｌｅ  Ｄｅｔａｃｈ情報は、ＵＥ１００の識別子を含んでいてもよい。Ｗｅａｒａｂｌｅ  Ｄｅｔａｃｈ情報は、ｗＵＥ１５０の識別子を含んでいてもよい。
【０１１６】
ステップＳ１５０Ｂにおいて、ＵＥ１００は、Ｗｅａｒａｂｌｅ  Ｄｅｔａｃｈ情報をネットワークへ通知してもよい。
【０１１７】
ＵＥ１００は、ｗＵＥ１５０への中継が不要になったことに応じて、Ｗｅａｒａｂｌｅ  Ｄｅｔａｃｈ情報をネットワークへ通知してもよい。ＵＥ１００は、ＵＥ  ｔｅｒｍｉｎａｔｅｄ  ｓｅｒｖｉｃｅの伝送を終了することに応じて、Ｗｅａｒａｂｌｅ  Ｄｅｔａｃｈ情報をネットワークへ通知してもよい。ＵＥ１００は、ＵＥ  ｔｅｒｍｉｎａｔｅｄ  ｓｅｒｖｉｃｅの伝送が必要とないことを示す情報をｗＵＥ１５０から受信したことに応じて、Ｗｅａｒａｂｌｅ  Ｄｅｔａｃｈ情報をネットワークへ通知してもよい。
【０１１８】
ＵＥ１００は、ｗＵＥ１５０がＵＥ１００から離れたとみなされる場合に、Ｗｅａｒａｂｌｅ  Ｄｅｔａｃｈ情報をネットワークへ通知してもよい。例えば、ＵＥ１００は、ｗＵＥ１５０との通信が不能になったことに応じて、Ｗｅａｒａｂｌｅ  Ｄｅｔａｃｈ情報をネットワークへ通知してもよい。ＵＥ１００は、ＵＥ１００とｗＵＥ１５０との間の接続が意図せず切断されたことに応じて、Ｗｅａｒａｂｌｅ  Ｄｅｔａｃｈ情報をネットワークへ通知してもよい。
【０１１９】
ステップＳ１５０Ａ及びステップ１５０Ｂの処理の少なくとも一方が実行されてもよい。
【０１２０】
ネットワーク（ＭＭＥ３００、ＨＳＳ６００、ネットワーク装置）は、Ｗｅａｒａｂｌｅ  Ｄｅｔａｃｈ情報の受信に応じて、ＵＥ１００とｗＵＥ１５０との関係を削除（解放）してもよい。ネットワークは、Ｗｅａｒａｂｌｅ  Ｄｅｔａｃｈ情報の受信に応じて、ＵＥ１００とｗＵＥ１５０との関係を削除するために、リストを更新してもよい。
【０１２１】
ネットワークは、ＵＥ１００とｗＵＥ１５０との関係を記憶してから、所定時間が経過したことに応じて、ＵＥ１００とｗＵＥ１５０との関係を削除してもよい。ネットワークは、所定時間を計測するためのタイマを用いて、所定時間を計測してもよい。ネットワークは、所定時間が経過する前、又は経過した後に、ＵＥ１００及び／又はｗＵＥ１５０に、ＵＥ１００とｗＵＥ１５０との関係を削除することを通知してもよい。ＵＥ１００及び／又はｗＵＥ１５０は、当該通知に基づいて、Ｗｅａｒａｂｌｅ  Ａｔｔａｃｈ情報をネットワークへ再度通知してもよい。
【０１２２】
（Ｂ）動作例２
動作例２について、図１０を用いて説明する。図１０は、動作例２を説明するためのシーケンス図である。上述と同様の部分は、説明を省略する。
【０１２３】
動作例２では、ＵＥ１００とｅＮＢ２００との間のＲＲＣ接続が解放されることによって、中継接続の一部が解放されている。
【０１２４】
ステップＳ２１０Ａ及びＳ２１０Ｂは、ステップＳ１１０Ａ及び１１０Ｂに対応する。
【０１２５】
その後、ＵＥ１００とｅＮＢ２００との間のＲＲＣ接続が解放されたと仮定する。ＵＥ１００は、ＲＲＣアイドル状態である。
【０１２６】
ＵＥ１００とｗＵＥ１５０との間の接続が解放されてもよい。ＵＥ１００とｗＵＥ１５０との間の接続が維持されていてもよい。
【０１２７】
ステップＳ２２０において、ｗＵＥ１５０宛てのデータが存在することを知ったＭＭＥ３００は、ＵＥ１００とｅＮＢ２００との間のＲＲＣ接続が解放されている場合、ページングメッセージ（ｗUE’s  ｉｎｆｏｒｍａｔｉｏｎ）をＵＥ１００へ送ってもよい。ＭＭＥ３００は、ＵＥ１００宛てのデータ伝送ではなく、ｗＵＥ１５０宛てのデータ伝送を目的として、ページングメッセージをＵＥ１００へ送ってもよい。
【０１２８】
当該ページングメッセージは、中継接続の確立を促すためのメッセージであってもよい。メッセージは、中継接続の確立のために、ＵＥ１００とｅＮＢ２００との間のＲＲＣ接続の確立を促すためのメッセージであってもよい。メッセージは、ｗＵＥ１５０宛てのデータの伝送を促すためのメッセージであってもよい。
【０１２９】
ＭＭＥ３００は、ＵＥ１００がＤＲＸ（Ｄｉｓｃｏｎｔｉｎｕｏｕｓ  ｒｅｃｅｐｔｉｏｎ）動作を実行している場合には、ＵＥ１００のＤＲＸサイクルに基づくタイミングで、ページングメッセージを送信してもよい。すなわち、ＭＭＥ３００は、ＵＥ１００がページングメッセージをモニタするタイミング（ページング機会：ＰＯ）でページングメッセージを送信してもよい。
【０１３０】
ＭＭＥ３００は、所定のタイミングで、ページングメッセージを送信してもよい。例えば、所定のタイミングは、ｗＵＥ１５０の識別子（例えば、ＩＭＳＩ）により算出されるタイミングであってもよい。ＵＥ１００は、ＵＥ１００がＤＲＸ動作を実行している場合であっても、所定のタイミングにおいてページングメッセージのモニタを実行してもよい。
【０１３１】
ページングメッセージは、少なくとも以下のいずれかの情報を含んでいてもよい。
【０１３２】
・ｗＵＥ１５０の識別子（例えば、ＩＭＳＩ、ＰｒｏＳｅ  ＩＤ、Ｄｅｓｔｉｎａｔｉｏｎ  ＩＤ、Ｄｅｓｔｉｎａｔｉｏｎ  Ｉｎｄｅｘ、ＩＰアドレス、ＭＡＣアドレスなど）
・ＵＥ１００の識別子（例えば、ＩＭＳＩ、ＰｒｏＳｅ  ＩＤ、Ｄｅｓｔｉｎａｔｉｏｎ  ＩＤ、Ｄｅｓｔｉｎａｔｉｏｎ  Ｉｎｄｅｘ、ＩＰアドレス、ＭＡＣアドレスなど）
・ｗＵＥ宛てのページングメッセージであることを示す識別子（例えば、ｒｅｍｏｔｅＵＥＰａｇｉｎｇＩｎｄｉｃａｔｉｏｎ）
【０１３３】
ｗＵＥ１５０の識別子及び／又はＵＥ１００の識別子は、Ｗｅａｒａｂｌｅ  Ａｔｔａｃｈ情報によりネットワークへ通知された識別子であってもよい。ＵＥ１００の識別子に対して、ｗＵＥ１５０の識別子のリストが関連付けられていてもよい。当該リストは、ＵＥ１００が複数のｗＵＥのリレーＵＥである場合に、有効である。
【０１３４】
ＵＥ１００は、ページングメッセージをネットワークから受信する。ＵＥ１００は、ページングメッセージに含まれる情報に基づいて、ｗＵＥ１５０宛てのデータが存在することを知ってもよい。ＵＥ１００は、ページングメッセージを受信したタイミングに基づいて、ｗＵＥ１５０宛てのデータが存在することを知ってもよい。
【０１３５】
ステップＳ２３０において、ＵＥ１００は、ページングメッセージの受信に応じて、ＵＥ１００とｅＮＢ２００との間の接続を確立するための制御を開始する。
【０１３６】
ステップＳ２４０において、ＵＥ１００は、ページングメッセージの受信に応じて、ＵＥ１００とｅＮＢ２００との間の接続を確立するための制御を開始する。
【０１３７】
ＵＥ１００は、ｗＵＥ１５０とネットワークとの間の中継接続を（再）確立する。
【０１３８】
ステップＳ２４０の処理がステップＳ２３０の処理よりも先に開始されてもよい。ステップＳ２３０の処理とステップＳ２４０の処理とが同時に開始されてもよい。
【０１３９】
ステップＳ２５０、Ｓ２６０Ａ、及びＳ２６０Ｂは、ステップＳ１４０、Ｓ１５０Ａ、及びＳ１５０Ｂに対応する。
【０１４０】
従来であれば、ＵＥ１００とｅＮＢ２００との間の接続が解放された場合、中継不能であるため、ネットワーク上に記憶されたＵＥ１００とｗＵＥ１５０との関係が破棄されることが想定される。このため、ＳＧＷ４００（又はＰＧＷ５００）にｗＵＥ１５０宛てのデータが届いても、ｗＵＥ１５０宛てのデータが存在することをｗＵＥ１５０へ通知することができなかった。
【０１４１】
上記動作例２によれば、ＵＥ１００とｅＮＢ２００との間の接続（ＲＲＣ接続）が解放されている場合であっても、ネットワークからのページングメッセージにより、ＵＥ１００は、ＵＥ１００とｅＮＢ２００との間の接続を確立するための制御を開始する。これにより、中継接続が（再）確立されるため、ｗＵＥ１５０は、データを受信することができる。
【０１４２】
（Ｃ）動作例３
動作例３について、図１１を用いて説明する。図１１は、動作例３を説明するためのシーケンス図である。上述と同様の部分は、説明を省略する。
【０１４３】
動作例３では、ｅＮＢ２００が、ｗＵＥ１５０宛てのデータが存在する（到着した）ことを示すメッセージ（ページングメッセージ）をＵＥ１００へ送る。
【０１４４】
ステップＳ３１０Ａ及びＳ３１０Ｂは、ステップＳ１１０Ａ及びＳ１１０Ｂに対応する。ｗＵＥ１５０は、Ｗｅａｒａｂｌｅ  Ａｔｔａｃｈ情報をｅＮＢ２００へ通知してもよい。ＵＥ１００は、Ｗｅａｒａｂｌｅ  Ａｔｔａｃｈ情報をｅＮＢ２００へ通知してもよい。
【０１４５】
ｅＮＢ２００は、上位のネットワーク装置（例えば、ＭＭＥ３００、ＨＳＳ６００、ネットワーク装置等）からＷｅａｒａｂｌｅ  Ａｔｔａｃｈ情報（又はリレーＵＥとリモートＵＥとの関係を示す情報）を受け取ってもよい。
【０１４６】
ｅＮＢ２００は、上述のＭＭＥ３００と同様に、Ｗｅａｒａｂｌｅ  Ａｔｔａｃｈ情報に基づいて、リレーＵＥとリモートＵＥとの関係を記憶してもよい。ｅＮＢ２００は、リレーＵＥとリモートＵＥとの関係に関する情報を更新してもよい。
【０１４７】
ｅＮＢ２００は、Ｗｅａｒａｂｌｅ  Ａｔｔａｃｈ情報に基づくリレーＵＥに対して、ＲＡＮページングを適用すると判定してもよい。ＲＡＮページングは、Ｅ−ＵＴＲＡＮ１０（ｅＮＢ２００）によりページングが制御される所定ページングエリア単位でページングを行う。所定ページングエリアは、トラッキングエリアよりも狭いエリアである。所定ページングエリアを導入することにより、１のＵＥ１００に対してページングを行うセルの数を削減することができるため、シグナリングを削減することができる。以下において、このような所定ページングエリアを「ＲＡＮページングエリア」と称する。
【０１４８】
ステップＳ３２０において、ｗＵＥ１５０宛てのデータが存在することを知ったＭＭＥ３００は、ｗＵＥ１５０宛てのデータが存在することを示すシグナリングをｅＮＢ２００へ送る。
【０１４９】
ｅＮＢ２００は、シグナリングの受信ＵＥ１００に対して、ＲＡＮページングメッセージを送る。ｅＮＢ２００は、上述のＭＭＥ３００と同様に、ＲＡＮページングメッセージを送る。ＲＡＮページングメッセージは、上述のページングメッセージと同様の情報を含んでいてもよい。
【０１５０】
ステップＳ３３０からＳ３５０は、ステップＳ２３０からＳ２５０に対応する。
【０１５１】
ステップＳ３６０Ａ及びＳ３６０Ｂは、ステップＳ１５０Ａ及びＳ１５０Ｂに対応する。ｗＵＥ１５０は、Ｗｅａｒａｂｌｅ  Ｄｅｔａｃｈ情報をｅＮＢ２００へ通知してもよい。ＵＥ１００は、Ｗｅａｒａｂｌｅ  Ｄｅｔａｃｈ情報をｅＮＢ２００へ通知してもよい。ｅＮＢ２００は、上位のネットワーク装置（例えば、ＭＭＥ３００、ＨＳＳ６００、ネットワーク装置等）からＷｅａｒａｂｌｅ  Ｄｅｔａｃｈ情報（又はリレーＵＥとリモートＵＥとの関係を削除（解放）するための情報）を受け取ってもよい。ｅＮＢ２００は、Ｗｅａｒａｂｌｅ  Ｄｅｔａｃｈ情報の受信に応じて、ＵＥ１００とｗＵＥ１５０との関係を削除（解放）してもよい。
【０１５２】
（Ｄ）動作例４
動作例４について、図１２及び図１３を用いて説明する。図１２は、ＵＥ１００（リレーＵＥ）の動作を説明するためのフローチャートである。図１３は、ｗＵＥ１５０（リモートＵＥ）の動作を説明するためのフローチャートである。上述と同様の部分は、説明を省略する。
【０１５３】
動作例４では、ネットワークにおいて、ＵＥ１００とｗＵＥ１５０との関係が保持されている場合に、ＵＥ１００がアイドル状態へ遷移したと想定する。アイドル状態であるＵＥ１００（及びｗＵＥ１５０）が移動することにより、セルが変更された場合であっても、上述のｗＵＥ１５０宛てのデータが存在することを示すメッセージをネットワークから適切に受信するための動作について説明する。
【０１５４】
図１２に示すように、ステップＳ４１０において、ＵＥ１００は、ＵＥ１００の位置が変更されたか否かを判定する。例えば、ＵＥ１００は、以下の少なくともいずれかの方法により、ＵＥ１００の位置が変更されたか否かを判定する。
【０１５５】
第１に、ＵＥ１００は、ネットワークに登録されるＵＥ１００の位置が更新されたことに応じて、ＵＥ１００の位置が更新されたと判定する。例えば、ＵＥ１００は、ＵＥ１００のトラッキングエリアが変更されたことに応じて、ＵＥ１００の位置が変更されたと判定してもよい。ＵＥ１００は、ＵＥ１００のＲＡＮページングエリアが変更されたことに応じて、ＵＥ１００の位置が変更されたと判定してもよい。
【０１５６】
第２に、ＵＥ１００は、セル（再）選択により、選択セルが変更されたことに応じて、ＵＥ１００の位置が変更されたと判定してもよい。選択セルは、ＵＥ１００に（通信）サービスを提供するセル（サービングセル／プライマリセル）である。
【０１５７】
ＵＥ１００は、ＵＥ１００の位置が変更されたと判定した場合に、ステップＳ４２０の処理を行う。ＵＥ１００は、ＵＥ１００の位置が変更されていないと判定した場合には、処理を終了してもよい。
【０１５８】
ステップＳ４２０において、ＵＥ１００は、ＵＥ１００の位置が変更されたことに応じて、以下の少なくともいずれかの動作を実行してもよい。
【０１５９】
第１に、ＵＥ１００は、ｗＵＥ１５０の代わりに、ネットワークに登録されるｗＵＥ１５０の位置を更新してもよい。
【０１６０】
ＵＥ１００は、ＵＥ１００のトラッキングエリアを更新する場合に、ｗＵＥ１５０のトラッキングエリアを更新してもよい。ＵＥ１００は、ＵＥ１００のＲＡＮページングエリアを更新する場合に、ｗＵＥ１５０のＲＡＮページングエリアを更新してもよい。ＵＥ１００は、自身のエリアを更新するためのメッセージに、ｗＵＥ１５０のエリアを更新するための情報を含めてもよい。ＵＥ１００は、当該メッセージをネットワークへ通知してもよい。
【０１６１】
ＵＥ１００は、ネットワークに登録されるｗＵＥ１５０の位置を更新する場合、ｗＵＥ１５０の位置をＵＥ１００の位置を見なしてもよい。ｅＮＢ２００は、ネットワークに登録されているｗＵＥ１５０の位置（例えば、トラッキングエリア、ＲＡＮページングエリアなど）を示すエリア情報を、（例えば、ＳＩＢにより）ブロードキャストしてもよい。ＵＥ１００は、エリア情報とＵＥ１００の位置とが異なる場合に、ｗＵＥ１５０の位置を更新してもよい。
【０１６２】
ｗＵＥ１５０の位置を登録するネットワーク装置は、例えば、ｅＮＢ２００、ＰＧＷ５００、ＨＳＳ６００、ローカルのゲートウェイ（Ｌｏｃａｌ  ＧＷ）、又は、その他のネットワーク装置である。ｗＵＥ１５０の位置を登録するネットワーク装置は、リレーＵＥとリモートＵＥとの関係に関する情報（リスト）を管理するネットワーク装置（ノード）であってもよい。ＵＥ１００は、ｗＵＥ１５０の位置を更新するためのメッセージをｗＵＥ１５０の位置を登録するネットワーク装置へ送信してもよい。当該ネットワーク装置は、ｗＵＥ１５０の位置が更新されたことに応じて、ｗＵＥ１５０宛てのデータが存在することを示すメッセージ（ページングメッセージ）を送信するネットワーク装置（例えば、ＭＭＥ３００、ｅＮＢ２００など）へ、ＵＥ１００とｗＵＥ１５０との関係を示す情報を送ってもよい。
【０１６３】
第２に、ＵＥ１００は、ネットワークに登録されるｗＵＥ１５０の位置を更新させるための通知をｗＵＥ１５０へ送ってもよい。ＵＥ１００は、当該通知を送るために、ＵＥ１００とｗＵＥ１５０との間の接続を確立してもよい。ＵＥ１００は、中継接続を確立するための動作を実行してもよい。
【０１６４】
図１３のステップＳ５１０において、ｗＵＥ１５０は、ネットワークへ登録されるｗＵＥ１５０の位置をｗＵＥ１５０に更新させるための通知をＵＥ１００から受信する。
【０１６５】
ステップＳ５２０において、ｗＵＥ１５０は、ＵＥ１００からの通知の受信に応じて、中継接続を介して、ｗＵＥ１５０の位置を更新するためのメッセージをネットワークへ送信する。ネットワーク装置は、当該メッセージの受信に応じて、ｗＵＥ１５０の位置を更新する。
【０１６６】
以上によれば、ＵＥ１００及びｗＵＥ１５０が移動した場合であっても、ネットワークに登録されるｗＵＥ１５０の位置が適切に更新される。従って、ＵＥ１００の位置とｗＵＥ１５０との位置とが離れたと、ネットワークが認識することによって、上述のｗＵＥ１５０宛てのデータが存在することを示すメッセージが適切に送信されないという状態を抑制することができる。
【０１６７】
［その他の実施形態］
上述した実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１６８】
上述では、ｗＵＥ１５０とネットワークとの間に１つの中継接続が確立されているケースを主に説明したが、これに限られない。ｗＵＥ１５０とネットワークとの間に複数の中継接続が確立できてもよい。例えば、ベアラ毎に中継接続が確立される場合には、ｗＵＥ１５０とネットワークとの間に複数の中継接続が確立できてもよい。ネットワークは、複数の中継接続のうち、解放されている中継接続により伝送すべきｗＵＥ１５０宛てのデータが届いた場合に、ｗＵＥ１５０宛てのデータが存在する（到着した）ことを示すメッセージ（ページングメッセージ）をＵＥ１００へ送信してもよい。当該メッセージは、解放されている中継接続を識別するための識別情報（例えば、ベアラ識別子）を含んでいてもよい。ＵＥ１００（及びｗＵＥ１５０）は、メッセージに基づいて、解放された中継接続を（再）確立するための動作を開始してもよい。
【０１６９】
上述において、ＵＥ１００は、ｅＮＢ２００からのＳＩＢ（Ｓｙｓｔｅｍ  Ｉｎｆｏｒｍａｔｉｏｎ  Ｂｌｏｃｋ）が変更された場合、ＳＩＢが変更されたことを示す通知をｗＵＥ１５０へ送ってもよい。ＵＥ１００は、ＵＥ１００とｗＵＥ１５０との間の接続（例えば、ＰＣ５接続）が確立されていない場合には、当該接続を確立するための動作を実行してもよい。ＵＥ１００は、確立した接続を介して、ＳＩＢが変更されたことを示す通知をｗＵＥ１５０へ送ってもよい。
【０１７０】
ＵＥ１００は、ＵＥ１００とｗＵＥ１５０との間の接続（例えば、ＰＣ５接続）が確立されなくてもｗＵＥ１５０が受信可能な無線信号により、ＳＩＢが変更されたことを示す通知をｗＵＥ１５０へ送ってもよい。ＵＥ１００は、例えば、サイドリンク共通制御情報を搬送するＭＩＢ−ＳＬ（ＭａｓｔｅｒＩｎｆｏｒｍａｔｉｏｎＢｌｏｃｋ−ＳＬ）により、ＳＩＢが変更されたことを示す通知をｗＵＥ１５０へ送ってもよい。
【０１７１】
上述した実施形態では、ウェアラブルＵＥを例に挙げて説明したが、これに限られない。例えば、移動体（例えば、車両）においてネットワークに接続される通信装置と、移動体内のＵＥ（又は移動体内のＩｏＴ（Ｉｎｔｅｒｎｅｔ  ｏｆ  Ｔｈｉｎｇｓ）デバイス）とにおいて上述の内容が適用されてもよい。人が介在しない通信であるマシンタイプコミュニケーション（ＭＴＣ：Ｍａｃｈｉｎｅ  Ｔｙｐｅ  Ｃｏｍｍｕｎｉｃａｔｉｏｎ）用の通信装置どうしにおいて上述の内容が適用されてもよい。
【０１７２】
上述した実施形態に係る動作は、適宜組み合わせて実行されてもよい。上述した各シーケンスにおいて、必ずしも全ての動作が必須の構成ではない。例えば、各シーケンスにおいて、一部の動作のみが実行されてもよい。
【０１７３】
上述した実施形態では特に触れていないが、上述した各ノード（ＵＥ１００、ｅＮＢ２００、ＮＷ装置など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１７４】
或いは、ＵＥ１００、ｅＮＢ２００、及びＮＷ装置のいずれかが行う各処理を実行するためのプログラムを記憶するメモリ及びメモリに記憶されたプログラムを実行するプロセッサ）によって構成されるチップが提供されてもよい。
【０１７５】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１７６】
日本国特許出願第２０１６−１９４３８３号（２０１６年９月３０日出願）の全内容が、参照により、本願明細書に組み込まれている。
【図１】
2018061760.tif 000003
【図２】
2018061760.tif 000004
【図３】
2018061760.tif 000005
【図４】
2018061760.tif 000006
【図５】
2018061760.tif 000007
【図６】
2018061760.tif 000008
【図７】
2018061760.tif 000009
【図８】
2018061760.tif 000010
【図９】
2018061760.tif 000011
【図１０】
2018061760.tif 000012
【図１１】
2018061760.tif 000013
【図１２】
2018061760.tif 000014
【図１３】
2018061760.tif 000015
【国際調査報告】
2018061760.tif 000016
2018061760.tif 000017